(57)【要約】      （修正有）【課題】強力なる封緘作用を奏し、製造の迅速性と製品のコストダウンを図ることができるセキュリティ機能を具えた袋を提供する。【解決手段】フラップ２の内面前端寄りに既存のセキュリティテープ３を貼り着し、袋本体１の開口部上縁寄りに、当該セキュリティテープ３を重合貼り着するための帯状接着用面４を形成することにより封緘部分に強力なる接着力を発揮させる、セキュリティ機能を具えた袋。【選択図】図１
2016169029.tif 000002
【特許請求の範囲】
【請求項１】
フラップ(２)の内面前端寄りに既存のセキュリティテープ(３)を貼り着し、袋本体(１)の開口部上縁寄りに、当該セキュリティテープ(３)を重合貼り着するための帯状接着用面(４)を形成したセキュリティ機能を具えた袋。
【請求項２】
袋本体(１)の開口部上縁寄りに、第１帯状接着用面(５)と第２帯状接着用面(６)とを平行状態で二段に施すように構成し、フラップ(２)の内面前端寄りに貼り着されかつ上記第１及び第２帯状接着用面の両者に対して一括して重合接着するためのセキュリティテープ(７)として、転写用表示部分を上半部側または下半部側に寄せて形成したものを用いて成るセキュリティ機能を具えた袋。
【請求項３】
フラップ(２)の内面前端寄りに貼り着するセキュリティテープ(７)として、上半部側または下半部側に寄せて転写用表示部分を形成したものを用い、当該セキュリティテープ(７)全体と重合可能とする幅広な１枚の帯状接着用面を、袋本体(１)の開口部上縁寄りに設けるように構成したセキュリティ機能を具えた袋。
【請求項４】
フラップ側に貼り着するセキュリティテープに変えて、セキュリティテープおいて機能する転写用表示対象部を、印刷手段によりフラップに対して直接形成して成る請求項１乃至請求項３の何れかに記載のセキュリティ機能を具えた袋。
【発明の詳細な説明】
【技術分野】
【０００１】
本発明は、封緘が解かれた際に、その事実が開口部に表示されるようにし、もって不正的開封を阻止するようにしたセキュリティ機能を具えた袋に関する。
【背景技術】
【０００２】
現在、重要書類の盗難防止や開封・開梱、改竄防止のためのセキュリティ梱包が重要視されている。そのため、従来、セキュリティ封緘ラベル、またはセキュリティテープと言われる商品が開発されている。これは図８に示すように、封筒または段ボール箱の開口部に貼り着し、剥がした際に当該開口部に、「０ＰＥＮＤ」「開封済み」等の文字が転写残存されるようにしたものである。
【０００３】
上記転写表示に基づき、その開封事実のチェック・検知が確認され、不正に開封されたような場合も、その事実が歴然と残るようにし、以て、収容物の抜き取り、改竄、不正読み取り等の事実確認、並びにこのような犯罪行為の未然防止が図られるようにしたものである。
【０００４】
封筒に対して上記のようなセキュリティテープを用いる場合、図８に示すように、折筋に沿ってフラップを折り曲げた後、その上から当該フラップと封筒本体とに掛けて、所要のセキュリティテープを貼り着する。これにより、開封された際に、封筒本体側に「０ＰＥＮＤ」「開封済み」等の文字が転写残存して、開封事実の確認が成され、また、不正の開封の後に再び封緘がなされたとしても、当該転写残存文字のズレにより容易に確認されると同時に、セキュリティテープは復元的貼り着は通常不能化されている。
【発明の概要】
【発明が解決しようとする課題】
【０００５】
従来、袋、封筒などに対するセキュリティテープの使用は上記のようにして行われていた。
【０００６】
然し乍ら、セキュリティテープはその転写性、すなわち、表面の印刷部分の剥離性から、その接着強さが通常の接着テープに比して難点があり、強力な封緘性はそれほど期待し得ないものである。さらに、封緘後開封する際、封緘時からの時間、圧力、材質、環境等により、文字部分の剥離性に変化が生じ、文字転写に齟齬をきたす場合があった。
【０００７】
本発明は、上記のような問題点を解決した「セキュリティ機能を具えた袋」と言う、新規の製品の提供を図ったものである。
【課題を解決するための手段】
【０００８】
本発明は請求項１に記載のように、フラップ２の内面前端寄りに既存のセキュリティテープ３を貼り着し、袋本体１の開口部上縁寄りに、当該セキュリティテープ３を重合貼り着するための帯状接着用面４を形成したセキュリティ機能を具えた袋に係る。
【０００９】
本発明は請求項２に記載のように、袋本体１の開口部上縁寄りに、第１帯状接着用面５と第２帯状接着用面６とを平行状態で二段に施すように構成し、フラップ２の内面前端寄りに貼り着されかつ上記第１及び第２帯状接着用面の両者に対して一括して重合接着するためのセキュリティテープ７として、転写用表示部分を上半部側または下半部側に寄せて形成したものを用いて成るセキュリティ機能を具えた袋に係る。
【００１０】
本発明は請求項３に記載のように、フラップ２の内面前端寄りに貼り着するセキュリティテープ７として、上半部側または下半部側に寄せて転写用表示部分を形成したものを用い、当該セキュリティテープ７全体と重合可能とする幅広な１枚の帯状接着用面を、袋本体１の開口部上縁寄りに設けるように構成したセキュリティ機能を具えた袋に係る。
【００１１】
本発明は請求項４に記載のように、フラップ側に貼り着するセキュリティテープに変えて、セキュリティテープおいて機能する転写用表示対象部を、印刷手段によりフラップに対して直接形成して成る請求項１乃至請求項３の何れかに記載のセキュリティ機能を具えた袋を実施の態様とする。
【発明の効果】
【００１２】
本発明は請求項１に記載のような構成を採用したから、従来のセキュリティテープのようにフラップと封筒本体に掛けて封印するように貼り着するようにしたものに比して、著しく強力かつ安定したセキュリティテープの使用が可能化される。すなわち、従来のセキュリティテープは、図８に示すように封印状に貼り着するものであり、従って、強力なる封緘作用を奏することができず、また、封筒の表面に対する埃等の付着に依る汚れの影響で、明瞭であるべき転写に齟齬をきたしたり、不測の剥離を招いたりしてしまうような問題が生じることとなった。
【００１３】
これに対して本発明は、フラップ２の内面前端寄りにセキュリティテープ３を貼り着すると共に、これを袋本体１の開口部上縁寄りに貼り着した帯状接着用面４に重合貼り着するものであるから、セキュリティテープ自体は外面に晒されることがないために、従来のセキュリティテープのように、封緘後開封する際、封緘時からの時間、圧力、材質、環境等により、文字部分の剥離性に変化が生じ、文字転写に齟齬をきたすようなことがない。
【００１４】
更に封緘時、セキュリティテープ３自体の接着性と、帯状接着用面４の接着性との両者が相まって、強力なる封緘作用が奏されると共に、開封に際しても、セキュリティテープの転写表示は、帯状接着用面４によりこれを残存させる方向の力（接着力）に基づき、転写のための残存部分（文字等の表示部分）に対する強力なる接着安定作用が図られ、その表示の明瞭性・安定性の確保に大きく貢献する。
【００１５】
本発明は請求項２に記載のような構成を採用することにより、良好なる転写表示作用と強力なる封緘作用が奏されることとなる。すなわち、請求項１の場合は、セキュリティテープに対してその転写性と接着性の両者を依存する方式であるため、封緘のための接着性としては、従来方式に比しては上記のように強力に行われるも、如何せん、転写のための剥離部分が存在するため、これが剥離するということは、接着上のマイナス要因となるきらいがある。
【００１６】
そのため、請求項２の発明にあっては、第１帯状接着用面５と第２帯状接着用面６とを平行状態で二段に施すように構成してある。これに依り、セキュリティテープの転写部分が存在する部分とこれの無い部分とを、両者別個の接着用面に対して重合貼り着することにより、転写部分が存在する部分はその転写のための剥離を許容する程度の接着力に留められるも、転写部分が存在しない部分についてはその全長に亘った均一的接着力の確保がなされることとなる。
【００１７】
換言すると、上下二段の分業的接着方式の採用に基づき、夫々に適した接着力が得られ、総合的には強力なる封緘力を得ることが可能化される。そして、第１帯状接着用面５と第２帯状接着用面６として、夫々に適した接着強度のものを用いることにより、例えば転写用部分は弱い接着力とすることにより、不法行為に対する敏感なる対応が取れ、封緘部分は強力なる接着力を発揮させると言うような、きめの細かい調節を図ることができる。
【００１８】
なお、転写部分を上下の接着用面何れかにする点であるが、これは何れのもであっても良い。然し乍ら、フラップを少し開いただけでその痕跡が残るようにするためには、下段側に転写面を形成されるようにすることが好ましい。然し乍ら、本発明にあってはこれに限定性されるものではない。
【００１９】
本発明は請求項３に記載のような構成を採用することにより、すなわち、フラップ２の内面前端寄りに貼り着するセキュリティテープ７として、上半部側または下半部側に寄せて転写用表示部分を形成したものを用い、当該セキュリティテープ全体と重合可能とする幅広な１枚の帯状接着用面を、袋本体１の開口部上縁寄りに設けるように構成することにより、帯状接着用面の形成が一度で済むため、製造の迅速性と製品のコストダウンを図ることができる。
【００２０】
本発明は請求項４に記載のような構成を採用することにより、すなわち、フラップ側に貼り着するセキュリティテープに変えて、セキュリティテープおいて機能する転写用表示対象部を、印刷手段によりフラップに対して直接形成することにより、製造コストの低減化、製造業の迅速化をはかることができる。
【図面の簡単な説明】
【００２１】
【図１】本発明の第１実施例を表した斜視図である。
【図２】同上第１実施例の使用工程を表した拡大断面図であって、（イ）は封緘前の状態、（ロ）は封緘状態、（ハ）は開封状態を表したものである。
【図３】本発明の第２実施例を表した斜視図である。
【図４】同上第２実施例の使用工程を表した拡大断面図であって、（イ）は封緘前の状態、（ロ）は封緘状態、（ハ）は開封状態を表したものである。
【図５】本発明の第３実施例を表した斜視図である。
【図６】セキュリティテープの一例を表した表面図である。
【図７】幅広なセキュリティテープの一例を表した表面図である。
【図８】従来のセキュリティテープの一般的使用例を表した説明用斜視図である。
【発明を実施するための形態】
【００２２】
図１及び図２は本発明の第１実施例を表したものである。  同図において、１は紙材または合成樹脂等で製した袋本体、２は当該袋本体１のフラップであって、本発明は当該袋本体１とフラップ２の封緘部分にセキュリティ機能を持たせたことを特徴とするものである。
【００２３】
３はフラップ２の内面前端寄りに熱溶着或は糊剤等に依り貼り着したセキュリティテープであって、当該セキュリティテープ自体は、接着作用を奏すると共に剥離することに依り「開封済み」「０ＰＥＮＤ」等の表示が転写残存されるようにした既存のセキュリティテープに属するものである。従って、その表面は接着性を具えた形態となっている。
【００２４】
４は袋本体１の開口部上縁寄りに形成した帯状接着用面であって、両面テープの貼り着、或はホットメルトの塗布により形成したものであり、表面が接着面として機能するように構成してある。
【００２５】
図２の(イ)に示す状態にあって、同（ロ）に示すようにフラップ２を内側方向に折り返すことにより、そのセキュリティテープ３を，袋体１側の帯状接着面４に対して貼り着して封緘状態に保つ。そして、この状態で輸送に供する。
【００２６】
開封に際しては、フラップ２を剥離させて行うが、この際、セキュリティテープ３の表示文字が、図２の(ハ)に示すように帯状接着面４の表面に残存転写部分ａとして表示されるため、初めて開封されたことを証明する。然し乍ら、事前に不正的開封が行われていた場合は、当該転写が不正のものと適正なものとに重複化されるため、その事実が歴然と表示されることとなる。勿論、不正的開封がなされこれの復元的封緘がなされていない場合は、その事実に基づき不正開封の事実が歴然としたものとされるわけである。
【００２７】
図３は本発明の第２実施例を表したものである。これは、袋本体１の開口部上縁寄りに形成した帯状接着用面として、両面テープの貼り着、或はホットメルトの塗布により形成した第１帯状接着用面５及び第２帯状接着用面６を、平行状態で二段に施すように構成したものである。
【００２８】
そして、第２実施例の場合は、フラップ２側に貼り着したセキュリティテープ７として、下半部に転写表示を形成しておき、上半部は転写表示が存在しないような形態とするものを用いる。
【００２９】
これにより、封緘状態において、例えばセキュリティテープ７の転写表示部分を下方の第１帯状接着用面５部分に位置させ、当該セキュリティテープ７の転写表示の無い部分を上方の第２帯状接着用面６部分に位置させた状態で貼り着する。すなわち、第２実施例において、図４(イ)(ロ)(ハ)に示すようにして封緘および開封を行うわけであるが、開封させた際に、同(ハ)に示すように下方の第１帯状接着用面５の表面に、残存転写部分ａとして表示がなされることとなる。そして、上方の第２帯状接着用面６は専ら封緘用接着面として機能し、転写に依る表示部分の剥離作用が生じないため、その接着は専ら強力なる封緘用接着用面として機能する。
【００３０】
換言すると、第２実施例において重要な点は、封緘のための接着面と、セキュリティ文字転写のための接着面とに分けた点にある。何故ならば、文字転写を行うと、当該転写表示部分を剥離させなければならないため、封緘用としての接着力の低下を招いてしまうこととなる。第２実施例は、転写を兼ねた封緘用部分と封緘を専用とする部分に分け、これにより、転写作用の劣化を招くことなく強力なる封緘力が得られるようにしたものである。
【００３１】
なお、第２実施例にあっては、帯状接着用面を上下二列に形成するように構成してあるが、図５に示す第３実施例のように、これを幅広な帯状接着用面８とするように構成することも可能である。更に、通常、転写部分を下方の第一帯状接着用面５側とするようにするが、これは転写の確認がし易くしたためである。然し乍ら、上方の第２帯状接着用面６側に転写を生じさせ、下方の第１帯状接着用面５側は専ら封緘用接着面として利用するように構成しても良い。そしてこれは、セキュリティテープの転写用表示を、上半部側に形成するか下半部側に形成するかに依って決定される。本発明はこのような何れの形態で実施する場合もある。
【００３２】
更に，上述した第１、第２、第３実施例に於けるフラップ２に対するセキュリティテープの貼り着であるが、これは、同等の機能を有する印刷面（転写用表示対象部）をフラップに対して直接印刷手段に基づき形成することもできる。本発明はこのような形態で実施することもある。
【符号の説明】
【００３３】
１  袋本体
２  フラップ
３  セキュリティテープ
４  帯状接着用面
ａ  残存転写部分
５  第１帯状接着用面
６  第２帯状接着用面
７  セキュリティテープ
８  幅広な帯状接着用面
【図１】
2016169029.tif 000003
【図２】
2016169029.tif 000004
【図３】
2016169029.tif 000005
【図４】
2016169029.tif 000006
【図５】
2016169029.tif 000007
【図６】
2016169029.tif 000008
【図７】
2016169029.tif 000009
【図８】
2016169029.tif 000010